(57)【要約】      （修正有）【課題】第１のディスプレイ領域を含む第１のパネル、第２のディスプレイ領域を含む第２のパネル、第１のフレキシブル印刷回路（ＦＰＣ）、電子要素及び第２のＦＰＣを含む２重パネルディスプレイ。【解決手段】電子要素２１２は第２のパネル２０６上に取り付けられ、かつ、第１のＦＰＣ２１６に接続され、第２のＦＰＣ２１４は第１のパネル２０２に接続される。さらに、第２のＦＰＣは電子要素に接続されるか、又は第１のＦＰＣ２１６の反対側の第２のパネル２０６の側面に接続される。ここで、第２のＦＰＣ２１４が第２のパネル２０６の側面に接続されるとき、第１のパネル２０２の長さは第２のパネル２０６の長さより長い。【選択図】図２Ａ
2006301561.tif 000002
【特許請求の範囲】
【請求項１】
第１のディスプレイ領域を有する第１のパネル、
第２のディスプレイ領域を有する第２のパネル、ここで、第１のパネルの長さは第２のパネルの長さより長く、
第２のパネルに接続される電子要素、
電子要素に接続される第１のフレキシブル印刷回路（ＦＰＣ）、及び
第１のパネルと第２のパネルの間に接続される第２のＦＰＣ
を含む２重パネルディスプレイ。
【請求項２】
電子要素が第２のパネル上に取り付けられる請求項１に記載の２重パネルディスプレイ。
【請求項３】
電子要素が印刷回路ボード（ＰＣＢ）上に取り付けられ、かつ、ＰＣＢに接続され、電子要素が、ＰＣＢ及び第２のパネルに接続される第３のＦＰＣを経て第２のパネルに接続される請求項１に記載の２重パネルディスプレイ。
【請求項４】
第２のＦＰＣが第１のＦＰＣの反対側の第２のパネルの側面を経て第２のパネルに接続される請求項１に記載の２重パネルディスプレイ。
【請求項５】
第１のパネル又は第２のパネルは、液晶ディスプレイ（ＬＣＤ）、プラズマディスプレイ又は発光ダイオード（ＬＥＤ）ディスプレイを含む請求項１に記載の２重パネルディスプレイ。
【請求項６】
第１のパネル及び第２のパネルは液晶ディスプレイであり、さらに、第１のパネルと第２のパネルに光源を供給するために第１のパネルと第２のパネルの間にバックライトモジュールを含む請求項４に記載の２重パネルディスプレイ。
【請求項７】
さらに、第１のパネル上に取り付けられ、かつ、第２のＦＰＣに接続されるマルチプレクサを含む請求項１に記載の２重パネルディスプレイ。
【請求項８】
マルチプレクサが１：３のマルチプレクサ、１：６のマルチプレクサ、又は１：９のマルチプレクサを含む請求項１に記載の２重パネルディスプレイ。
【請求項９】
第１のパネルの幅が第２のパネルの幅と同じか、短いか又は長い請求項１に記載の２重パネルディスプレイ。
【請求項１０】
電子要素が受動要素又は能動要素を含む請求項１に記載の２重パネルディスプレイ。
【請求項１１】
能動要素が駆動集積回路（ＩＣ）を含む請求項１０に記載の２重パネルディスプレイ。
【請求項１２】
第１のパネル、
第２のパネル、
第１のフレキシブル印刷回路（ＦＰＣ）、
第２のパネル及び第１のＦＰＣに接続される電子要素、及び
第１のパネル及び電子要素に接続される第２のＦＰＣ
を含む２重パネルディスプレイ。
【請求項１３】
電子要素が第２のパネルに取り付けられている請求項１２に記載の２重パネルディスプレイ。
【請求項１４】
電子要素が印刷回路ボード（ＰＣＢ）上に取り付けられ、ＰＣＢに接続されており、電子要素がＰＣＢ及び第２のパネルに接続される第３のＦＰＣを経て第２のパネルに接続されている請求項１２に記載の２重パネルディスプレイ。
【請求項１５】
さらに、第１のパネル上に取り付けられ、かつ、第２のＦＰＣに接続されているマルチプレクサを含む請求項１２に記載の２重パネルディスプレイ。
【請求項１６】
マルチプレクサは、１：３のマルチプレクサ、１：６のマルチプレクサ及び１：９のマルチプレクサを含む請求項１５に記載の２重パネルディスプレイ。
【請求項１７】
第１のパネルの長さは、第２のパネルの長さに等しいか、短いか又は長い請求項１２に記載の２重パネルディスプレイ。
【請求項１８】
第１のディスプレイ領域を有する第１のパネル、
第２のディスプレイ領域を有する第２のパネル、
第２のパネル及び第１のＦＰＣに接続される電子要素、及び
第１のパネルに接続されている第２のＦＰＣを含み、ここで、第２のＦＰＣは電子要素に接続されるか又は第１のＦＰＣの反対側の第２のパネルの側面に接続され、第２のＦＰＣが第２のパネルの側面に接続されるとき第１のパネルの長さは第２のパネルの長さより長い請求項１２に記載の２重パネルディスプレイ。
【発明の詳細な説明】
【技術分野】
【０００１】
本発明は２重パネルディスプレイに関する。特に、縦の長さがより短い２重パネルディスプレイに関する。
【背景技術】
【０００２】
半導体技術が進歩するにつれ、携帯電話やノートブックのような持ち運び電子装置はより薄く、軽くそしてより多くの機能を有するようになってきている。しかしながら、携帯電話又はノートブックの機能はさらに改良できる。
【０００３】
例えば、携帯電話の大きさを減らすために、携帯電話は本体と反転リッドを有するように設計されている。ここで、キーパッドは本体の内面に取り付けられており、ディスプレイは反転リッドの内面に搭載されている。したがって、携帯電話が使用されていないとき、反転リッドは本体を覆い、よって、キーパッド及びディスプレイは、ほこり、水、及び他の不慮の衝撃又は作動から保護される。
【発明の開示】
【発明が解決しようとする課題】
【０００４】
しかしながら、携帯電話が呼び出しやメッセージを受信したとき、ディスプレイを見たりキーパッドを押すために反転リッドを開かなければならないので、使用者がその呼び出しに応答したりメッセージをチェックするには不便である。さらに、もし使用者が時間だけを見たいときに反転リッドを開かなければならないので不便である。そこで、この問題を解決するために２重パネルディスプレイを有する携帯電話が開発されている。
【０００５】
図１は、従来の２重パネルディスプレイの断面の該略図である。図１を参照すると、２重パネルディスプレイ１００は、メインディスプレイ領域１０４、サブディスプレイ領域１０８を有するサブパネルディスプレイ１００、バックライトモジュール１１０、駆動集積回路（ＩＣ）１１２、フレキシブルプリント回路（ＦＰＣ）１１４及びＦＰＣ１１６を含む。２重パネルディスプレイ１００は制御回路１１８に接続される。
【０００６】
一般的に、メインディスプレイ１０４は画像又はメッセージ全体を表示するために使用され、サブパネル１０６はいくつかの簡単なメッセージを表示するためにだけ使用されるため、メインパネル１０２の長さはサブパネル１０６より長い。図１を参照すると、ＥＰＣ１１６を経て制御回路１１８から転送されたデータ信号は駆動ＩＣ１１２によって受信され、次いでメインパネル１０２は駆動ＩＣ１１２によって駆動される。さらに、サブパネル１０６はＦＰＣ１１４を経て駆動ＩＣ１１２によって駆動される。
【課題を解決するための手段】
【０００７】
本発明は、（駆動ＩＣのような）電子要素をより短い長さのパネルに接続することにより、２重パネルディスプレイの全長が最小に維持され、短い全長を有する２重パネルディスプレイに関する。ディスプレイの全長は従来技術で使用されるものより大きくないパネルを使用するときに減少し、従来技術と同じ全長のものを使用するときより長いパネルが使用される。
【０００８】
本発明は、より短いパネルの同じ側に２つのＥＰＣを提供することによって、より短い全長を有する２重ディスプレイに関係する。本発明の１実施例によれば、例えば、これに限定されずに、第１のディスプレイ領域を含む第１のパネル、第２のディスプレイ領域を含む第２のパネル、第１のフレキシブル印刷回路（ＦＰＣ）、電子要素及び第２のＦＰＣを含む２重パネルディスプレイが提供される。第１のパネルの長さは第２のパネルの長さより長いことに注意すべきである。さらに、電子要素は第２のパネルに接続され、第１のＦＰＣは電子要素に接続され、第２のＦＰＣは第１のパネルと第２のパネルの間に接続される。
【０００９】
本発明の１つの実施例において、電子要素は第２のパネル上に取り付けられる。
【００１０】
本発明の１つの実施例において、電子要素は印刷回路ボード上に取り付けられ、かつ、ＰＣＢに接続される。ここで、電子要素は、ＰＣＢ及び第２のパネルに接続される第３のＦＰＣを経て第２のパネルに接続される。
【００１１】
本発明の１つの実施例において、第２のＦＰＣは、第１のＦＰＣの反対側の第２のパネル側において第２のパネルに接続されている。
【００１２】
本発明の１つの実施例において、第１のパネル又は第２のパネルは液晶ディスプレイ（ＬＣＤ）又は発光ダイオード（ＬＥＤ）ディスプレイである。さらに、第１のパネルと第２のパネルが液晶ディスプレイであるとき、２重パネルディスプレイは、第１のパネルと第２のパネルに光源を提供するために第１のパネルと第２のパネルの間に配置されるバックライトモジュールを含む。
【００１３】
本発明の１つの実施例において、２重パネルディスプレイは第１のパネル上に取り付けられたマルチプレクサを含む。本発明の他の実施例において、マルチプレクサは１：３のマルチプレクサ、１：６のマルチプレクサ又は１：９のマルチプレクサを含む。
【００１４】
本発明の１つの実施例において、第１のパネルの幅は、第２のパネルの幅に等しいか、短いか又は長い。
【００１５】
本発明の１つの実施例において、電子要素は受動的要素又は能動的要素を含み、ここで、能動的要素は駆動集積回路（ＩＣ）を含む。
【００１６】
本発明の１つの実施例によれば、例えば、これに限定されずに、第１のパネル、第
２のパネル、第１のフレキシブル印刷回路（ＦＰＣ）、電子要素及び第２のＦＰＣを含む２重パネルディスプレイが提供される。電子要素は第２のパネル及び第１のＦＰＣに接続され、第２のＦＰＣは第１のパネル及び電子要素に接続される。
【００１７】
このように、本発明においては、電子要素及び電子要素に接続される第１のＦＰＣはより短い長さの第２のパネル上に取り付けられるので２重パネルディスプレイの全長を減少させることができる。あるいは、本発明においては、電子要素、第１のＦＰＣ及び第２のＦＰＣは第２のパネルの同じ側に取り付けられるので、２重パネルディスプレイの全長を減少させることができ、スペースの利用度が増加する。
【００１８】
本発明の１つの実施例によれば、２重パネルディスプレイは、例えば、これに限定されないが、第１のディスプレイ領域を含む第１のパネル、第２のディスプレイ領域を含む第２のパネル、第１のフレキシブル印刷回路（ＦＰＣ）、電子要素及び第２のＦＰＣが提供される。電子要素は、第２のパネル及び第１のＦＰＣに接続され、第２のＦＰＣは第１のパネルに接続される。さらに、第２のＦＰＣは電子要素又は第１のＦＰＣの反対側の第２のパネル側に接続され、ここで、第２のＦＰＣが第２のパネルの側面の接続されるとき、第１のパネルの長さは第２のパネルの長さより長い。
【発明を実施するための最良の形態】
【００１９】
本発明の特徴及び利点の１つ、一部又は全ては、単に本発明を実行する最も適切な様態の例示によって、この発明の好ましい実施例が示される明細書の記載から当業者が容易に明らかであろう。理解されるように、本発明は異なる実施例が可能であり、本発明から離れない限り、多くの点で変形が可能である。したがって、図面及び記載は性質上例示とみなされ、本発明の範囲を制限するものではない。
【００２０】
本発明は、好ましい実施例が示される図面を参照してより詳細に説明される。本発明は、しかしながら、多くの異なる形で実施され、本明細書に記載される実施例に限定されるものとして理解されるべきではない。むしろ、これらの実施例は、本発明の開示がより徹底され完全なものとなり、当業者に本発明の範囲を伝えるためにある。全体を通じて、同じ番号は同じ要素を表す。
【００２１】
図２Ａは、本発明の１つの実施例による２重パネルディスプレイの断面概略図を示し、ここで、電子要素はパネル上に取り付けられている。図２Ａを参照すると、２重パネルディスプレイ２００は、例えば、これに限定されずに、第１ディスプレイ領域２０４を有する第１パネル、第２ディスプレイ領域２０８を有する第２パネル、電子要素２１２、フレキシブル印刷回路（ＦＰＣ）２１４及びＦＰＣ２１６を含む。２重パネルディスプレイ２００は、例えば、制御回路２１８に接続される。本発明の１つの態様において、第１のパネル２０２又は第２のパネル２０６は液晶ディスプレイ、プラズマディスプレイ、発光ダイオード（ＬＥＤ）ディスプレイ又は他のタイプのディスプレイである。第１のパネル２０２及び第２のパネル２０６がＬＣＤであるとき、バックライトモジュールは第１のパネルと第２のパネルに光源を供給するために第１のパネルと第２のパネルの間に配置される。さらに、第１のパネル２０２と第２のパネル２０６は透明であるか反射性であるか半透明である。さらに、電子要素２１２は、例えば、第２のパネル２０６上に取り付けられる。実際、第２のパネル上に取り付けられた電子要素２１２は、能動要素又は受動要素であり得、ここで、能動要素は、ラッチング、信号変換などのためのあらゆるタイプの集積回路（駆動ＩＣのような）を含む。
【００２２】
図２Ｂは、図２Ａの２重パネルディスプレイの拡大該略図である。図２Ｂを参照すると、ＦＰＣ２１４とＦＰＣ２１６は第２のパネル２０６の２つの相対する側面に接続されている。したがって、ＦＰＣ２１６を経て制御回路２１８から送信されたデータ信号は電子要素２１２に受信され、次いで、第２パネル２０６は電子要素２１２によって駆動される。したがって、第１パネル２０２はＦＰＣ２１４を経て電子要素によって駆動される。さらに、第１のパネル２０２の長さは第２のパネル２０６の長さより長い。しかしながら、第１のパネル２０２の幅は第２のパネル２０６のそれに等しいか、小さいか又は大きい。本発明の１つの実施例において、第１のパネル２０２は、例えば、これに限定されずに、相対的に大きなディスプレイ領域を有するメインパネルであり、第２のパネル２０６は、例えば、これに限定されずに、相対的に小さなディスプレイ領域を有するサブパネルである。どちらがメインパネルでどちらがサブパネルかという区別は重要ではない。本発明にしたがって、サブパネルに対して有効なスペースは駆動チップなどのような他の構成要素の設置にとって重要である。
【００２３】
本発明の１つの実施例において、２重パネルディスプレイ２００は、携帯電話、ポータブルコンピュータ又はノートブックに適用される。
【００２４】
電子要素２１２並びに図２Ａ及び図２Ｂの電子要素２１２及び制御回路２１８の間に接続されたＦＰＣ２１６の実質的部分は、より短い長さを有する第２のパネル２０６上に取り付けられるため、２重パネルディスプレイ２００の全長は減少する。例えば、図２Ａ及び図２Ｂに示される２重パネルディスプレイ２００の全長は、約電子要素２１２の長さほど、図１に示される２重パネルディスプレイ１００より短い。
【００２５】
図３Ａは、本発明の１つの実施例の２重パネルディスプレイの断面該略図であり、ここで、電子要素はＰＣＢ上に取り付けられている。図３Ｂは２重パネルディスプレイの拡大図である。図３Ａ及び図３Ｂを参照すると、本発明の１つの態様において、上記の２重パネルディスプレイ２０１の電子要素２１２ａは印刷回路ボード（ＰＣＢ）２３０上に取り付けられており、ＰＣＢに接続される。ここで、電子要素２１２ａは、ＰＣＢ２３０及び第２のパネル２０６ａに接続される第３のＦＰＣ２１５ａを経て、第２のパネル２０６ａに接続される。さらに、制御回路２１８ａはＦＰＣ２１６ａを経てＰＣＢ２３０に接続され、電子要素２１２ａ及び第２のパネル２０６ａに信号を伝達する。図３Ａ及び３Ｂにおける２重パネルディスプレイの他の要素は、図２Ａ及び２Ｂにおける２重パネルディスプレイ２００と同じであり、２重パネルディスプレイ２０１の効果は２重パネルディスプレイ２００のそれと同じであり、これらは次の図においては繰り返し示さない。
【００２６】
図４Ａは、本発明の他の実施例の２重パネルディスプレイの断面概略図を示す。図４Ａを参照すると、２重パネルディスプレイ３００は、例えば、これに限定されずに、第１ディスプレイ領域３０４を有する第１パネル、第２ディスプレイ領域３０８を有する第２パネル、バックライトモジュール３１０、電子要素３１２、ＦＰＣ３１４及びＦＰＣ３１６を含む。２重パネルディスプレイ３００は、例えば、制御回路３１８に接続される。本発明の１つの実施例において、第１のパネル３０２又は第２のパネル３０４はＬＣＤ又はＬＥＤディスプレイである。第１のパネル３０２及び第２のパネル３０６がＬＣＤであるとき、第１のパネル３０２と第２のパネル３０６の間に光源を提供するために第１のパネル３０２と第２のパネル３０６の間にバックライトモジュール３１０が配置される。さらに、第１のパネル３０２と第２のパネル３０６は透明、反射性又は半透明であり得る。
【００２７】
図４Ｂは、図４Ａの２重パネルディスプレイの拡大図である。図４Ｂを参照すると、ＦＰＣ３１４とＦＰＣ３１６は第２のパネル３０６の同じ側に接続されることがわかる。したがって、制御回路３１８から送信されたデータ信号はＦＰＣ３１６を経て電子要素３１２に受信され、次いで、第２パネル３０６は電子要素３１２によって駆動される。このように、第１パネル３０２はＦＰＣ３１４を経て電子要素３１２によって駆動される。さらに、第１パネル３０２の長さ又は幅は、第２パネル３０６のそれと同じか、小さいか又は大きい。本発明の１つの実施例において、第１のパネル３０２は、例えば、これに限定されずに、サブパネルであり得、第２パネル３０６は、例えば、これに限定されずに、メインパネル、又はこの逆であり得る。実際、第２のパネル３０６に取り付けられている電子要素３１２は能動要素又は受動要素であり得る。ここで、能動要素はラッチング又は信号変換などのような他の機能のための集積回路（ＩＣｓ）を含む。
【００２８】
本発明の１つの実施例においては、図３Ａ及び図３Ｂを参照して、マルチプレクサ３２０が、例えば、１：３のマルチプレクサ３２０であるとき、３つのデータ信号（例えば、色Ｒ，Ｇ及びＢ）はＦＰＣ３１４の１つの線によって伝達される。したがって、ＦＰＣ３１４の線の数は減少して、例えば、ＦＰＣ３１４の幅も減少する。本発明の１つの実施例において、マルチプレクサ３２０は、例えば、これに限定されずに、１：３、１：６又は１：９のマルチプレクサ３２０を含む。
【００２９】
本発明の１つの実施例においては、２重パネルディスプレイ３００は、携帯電話、携帯デジタルアシスタント、ポータブルコンピュータ又はノートブックコンピュータに適用される。
【００３０】
電子要素３１２、ＦＰＣ３１６及びＦＰＣ３１４は、第２パネルの同じ側に取り付けられるから、２重パネルディスプレイ３００の全長は減少する。例えば、図３Ａ及び図３Ｂに示される２重パネルディスプレイの全長が、ＦＰＣ１１４を取り付けるための長さ（例えば、図１に示される距離Ｄ）分、図１に示される２重ディスプレイより短い。
【００３１】
図５Ａは、本発明の１つの実施例の２重パネルディスプレイの断面概略図であり、ここで、電子要素はＰＣＢ上に取り付けられている。図５Ｂは、図５Ａの２重パネルディスプレイの拡大図である。図５Ａ及び５Ｂを参照すると、本発明の１つの実施例において、上記の２重パネルディスプレイに比較して、２重パネルディスプレイ３０１の電子要素３１２ａは印刷回路ボード（ＰＣＢ）３３０上に取り付けられており、ＰＣＢ３３０に接続されている。ここで、電子要素３１２ａは、ＰＣＢ３３０及び第２パネル３０６ａに接続されている第３のＦＰＣ３１５ａを経て第２のパネル３０６ａに接続されている。さらに、制御回路３１８ａはＦＰＣａを経てＰＣＢ３３０に接続されている。図５Ａ及び図５Ｂにおける２重パネルディスプレイの他の要素は、図４Ａ及び図４Ｂにおける２重パネルディスプレイと同じであり、その効果も同じである。
【００３２】
このように、本発明の１つの実施例においては、電子要素及び電子要素に接続されている第１のＦＰＣは短い長さを有し、２重パネルの全長は減少する。あるいは、本発明の他の実施例においては、第１のＦＰＣ及び第２のＦＰＣは、実質的に第２のパネル又はＰＣＢの同じ側に取り付けられており、２重パネルの全長は減少する。
【００３３】
本発明の好ましい実施例に関するこれまでの記載は例示を目的としたものである。これは、完全なもの、あるいは詳細な形又は具体例に限定しようと意図するものではない。したがって、前述の記載は制限的というより例示的なものである。明らかに、当業者には多くの改良や変形が明らかであろう。実施例は、本発明の原則及び最も好ましい応用例を最もよく説明するために選ばれた。これによって、当業者が本発明の多くの実施例、特定の用途に適合する多くの変形、又は考慮された実施を理解することが可能となる。本発明の範囲は特許請求の範囲及びすべての用語が最も妥当な意味に解釈された上でのこれと等価なものによって規定される。本発明の範囲から離れない限り当業者によって記載される実施例において多くの変形が可能であることがわかる。さらに、本明細書におけるいかなる要素及び構成要素も、たとえ特許請求の範囲においてこれらが明白に繰り返されていたとしても、公共のものとする意図ではない。
【図面の簡単な説明】
【００３４】
【図１】従来の２重パネルディスプレイの断面概略図を示す。
【図２Ａ】電子要素がパネルに取り付けられている本発明の１つの実施例の２重パネルディスプレイの概略断面図である。
【図２Ｂ】図２Ａの２重パネルディスプレイの拡大概略図である。
【図３Ａ】電子要素がＰＣＢ上に取り付けられている本発明の実施例の２重パネルディスプレイの概略断面図である。
【図３Ｂ】図３Ａの２重パネルディスプレイの拡大概略図である。
【図４Ａ】電子要素がパネル上に取り付けられている本発明の他の実施例の２重パネルディスプレイの概略断面図である。
【図４Ｂ】図４Ａの２重パネルディスプレイの拡大概略図である。
【図５Ａ】電子要素がＰＣＢ上に取り付けられている本発明の他の実施例のネルディスプレイの概略断面図である。
【図５Ｂ】図５Ａの２重パネルディスプレイの拡大概略図である。
【符号の説明】
【００３５】
１００  ２重パネルディスプレイ
１０２  メインパネル
１０４  メインディスプレイ領域
１０６  サブパネル
１０８  サブディスプレイ領域
１１０  バックライトモジュール
１１２  駆動集積回路（ＩＣ）
１１４  フレキシブル印刷回路
１１６  ＥＰＣ
１１８  制御回路
２００  ２重パネルディスプレイ
２０２  第１のパネル
２０４  第１のパネル領域
２０６  第２のパネル
２０８  第２のディスプレイ領域
２１０  バックライトモジュール
２１２  電子要素
２１４  フレキシブル印刷回路（ＦＰＣ）
２１６  ＦＰＣ
２１８  制御回路
３００  ２重パネルディスプレイ
３０２  第１のパネル
３０４  第１のパネル領域
３０６  第２のパネル
３０８  第２のディスプレイ領域
３１２  電子要素
３１４  ＦＰＣ
３１６  ＦＰＣ
３１８  制御回路
３２０  マルチプレクサ
３３０  印刷回路ボード（ＰＣＢ）
【図１】
2006301561.tif 000003
【図２Ａ】
2006301561.tif 000004
【図２Ｂ】
2006301561.tif 000005
【図３Ａ】
2006301561.tif 000006
【図３Ｂ】
2006301561.tif 000007
【図４Ａ】
2006301561.tif 000008
【図４Ｂ】
2006301561.tif 000009
【図５Ａ】
2006301561.tif 000010
【図５Ｂ】
2006301561.tif 000011